(57)【要約】【課題】外付ケースを用いずに機能を増設でき、且つ上ケースや下ケースの実装スペースを狭くせずに他の電子機器との接続を容易にする。【解決手段】上ケースと下ケースとが互いに重なり合う端部側面に対応させてヒンジ機能を有するヒンジケース３を配置したので、上ケースと下ケースとを重ね合わせると、ヒンジケース３が邪魔にならずに機器全体がコンパクトになり、良好に携帯できる。また、ヒンジケース３の内部に部品収納部８を設け、且つヒンジケース３と下ケースとを第１接続ケーブル９で電気的に接続したので、従来例のような外付ケースを用いずに容易に機能を増設できる。さらに、ヒンジケース３と他の電子機器とを接続端子部であるＵＳＢコネクタ１０に接続された第２接続ケーブル１１で電気的に接続するので、従来例のようなコネクタ部が不要で下ケースや上ケースの実装スペースを狭くせずに、他の電子機器との接続が容易にできる。【選択図】　　　　図７
2004021451.tif 000002
【特許請求の範囲】
【請求項１】
互いに重なり合う上ケースと下ケースとの端部側面に対応させてヒンジ機能を有するヒンジケースを配置し、このヒンジケースと共に前記上ケースと前記下ケースとを回動可能に連結した電子機器において、
前記ヒンジケースの内部に設けられた部品収納部と、
前記上ケースおよび前記下ケースの少なくとも一方と前記ヒンジケースとを電気的に接続する第１接続部材と、
前記ヒンジケースと他の電子機器とを電気的に接続するための第２接続部材と
を備えたことを特徴とする電子機器。
【請求項２】
前記ヒンジケースは、前記上ケースと前記下ケースとを重ね合わせて閉じた状態のときに、前記上ケースと前記下ケースとの互いに対応する端部側面に配置され、前記上ケースと前記下ケースとを回動させて開いた状態のときに、前記ヒンジケースの一部が前記下ケースの下側に突出して前記下ケースを載置面に対し傾斜させることを特徴とする請求項１に記載の電子機器。
【請求項３】
前記部品収納部には、電池、スピーカ、電子カメラ、カメラ回路部、ＵＳＢ回路部などの電子部品のうち、少なくとも１つ以上の電子部品が収納されていることを特徴とする請求項１または２に記載の電子機器。
【請求項４】
前記第２接続部材は、ＵＳＢコネクタ、イヤホンジャック、電源ジャックなどの接続端子部を備え、この接続端子部に接続ケーブルが着脱可能に接続されることを特徴とする請求項１〜３のいずれかに記載の電子機器。
【発明の詳細な説明】
【０００１】
【発明の属する技術分野】
この発明は、電子辞書、電子手帳、ノート型パソコンなどの電子機器に関する。
【０００２】
【従来の技術】
例えば、電子辞書や電子手帳などの電子機器においては、表示部を有する上ケースとキーボードを有する下ケースとをヒンジ軸によって回動可能に取り付け、このヒンジ軸を中心に下ケースに対し上ケースを回動させて互いに重ね合わせることにより、コンパクトに携帯することができ、また下ケースに対し上ケースを所定角度に開くと、下ケースのキーボードと上ケースの表示部とが露出し、この状態でキーボードを入力操作して表示部に情報を表示させることにより、良好に使用できるように構成したものがある。
【０００３】
ところで、この種の電子機器では、機能を増設するために、オプションとして増設用の外付ケースを備えていることが多い。この増設用の外付ケースは、下ケースに着脱可能に取り付けられ、必要なときに下ケースに取り付けて使用し、使用しないときに取り外して保管するように構成されている。
また、この電子機器では、他の電子機器と電気的に接続するために、下ケースまたは上ケースにコネクタ部を設け、このコネクタ部に接続ケーブルを接続し、この接続ケーブルを他の電子機器に接続することにより、両者の電子機器を電気的に接続してデータの授受を行うように構成されている。
【０００４】
【発明が解決しようとする課題】
しかしながら、このような電子機器では、増設用の外付ケースを下ケースに取り付けた状態で、下ケースに対し上ケースを開いて使用するときに外付ケースが邪魔になるばかりか、携帯するときにも外付ケースが邪魔になる。このため、携帯するときには、外付ケースを取り外す必要があるため、その着脱作業が面倒であり、しかも増設用の外付ケースを別に携帯しなければならないため、携帯性も悪いという問題がある。
また、この電子機器では、他の電子機器と電気的に接続するための接続ケーブルが接続されるコネクタ部を下ケースまたは上ケースに設けているため、その分、下ケースまたは上ケースの実装スペースが狭くなるという問題もある。
【０００５】
この発明の課題は、外付ケースを用いずに機能を増設することができると共に、上ケースや下ケースの実装スペースを狭くせずに他の電子機器との接続が容易にできるようにすることである。
【０００６】
【課題を解決するための手段】
この発明は、上記課題を解決するために、次のような構成要素を備えている。
なお、各構成要素には、後述する各実施形態の項で説明される各要素に付された図面の参照番号などを括弧と共に付す。
請求項１に記載の発明は、図１〜図１０に示すように、互いに重なり合う上ケース（１）と下ケース（２）との端部側面に対応させてヒンジ機能を有するヒンジケース（３）を配置し、このヒンジケースと共に前記上ケースと前記下ケースとを回動可能に連結した電子機器において、前記ヒンジケースの内部に設けられた部品収納部（８）と、前記上ケースおよび前記下ケースの少なくとも一方と前記ヒンジケースとを電気的に接続する第１接続部材（第１接続ケーブル９）と、前記ヒンジケースと他の電子機器とを電気的に接続するための第２接続部材（ＵＳＢコネクタ１０、電源ジャック３３、イヤホンジャック３２などの接続端子部、および第２接続ケーブル１１）とを備えたことを特徴とする電子機器である。
【０００７】
この発明によれば、上ケースと下ケースとを回動させて閉じると、上ケースと下ケースとが互いに重なり合うと共に、これら上ケースと下ケースとの端部側面に対応してヒンジケースが配置されるので、機器全体がコンパクトになり、これによりヒンジケースが従来例の外付ケースのように邪魔にならず、良好に携帯することができ、また、ヒンジケースの内部に部品収納部を設けると共に、上ケースおよび下ケースの少なくとも一方とヒンジケースとを第１接続部材で電気的に接続したので、従来例のような増設用の外付ケースを用いずに容易に機能を増設することができ、さらにヒンジケースと他の電子機器とを第２接続部材で電気的に接続するので、従来例のように下ケースや上ケースにコネクタ部を設けて下ケースや上ケースの実装スペースを狭くせずに、他の電子機器との接続が容易にできる。
【０００８】
請求項２に記載の発明は、図１〜図６に示すように、前記ヒンジケース（３）が、前記上ケース（１）と前記下ケース（２）とを重ね合わせて閉じた状態のときに、前記上ケースと前記下ケースとの互いに対応する端部側面に配置され、前記上ケースと前記下ケースとを回動させて開いた状態のときに、前記ヒンジケースの一部が前記下ケースの下側に突出して前記下ケースを載置面（Ｐ）に対し傾斜させることを特徴とする請求項１に記載の電子機器である。
この発明によれば、請求項１に記載の発明と同様の作用効果があるほか、特に使用するときに上ケースと下ケースとを回動させて開くと、ヒンジケースの一部が下ケースの下側に突出して下ケースを載置面に対し傾斜させるので、使い勝手が良く、良好に使用することができる。
【０００９】
請求項３に記載の発明は、図７〜図１０に示すように、前記部品収納部（８）に、電池（１２）、スピーカ（３１）、電子カメラ（３４）、カメラ回路部（３５）、ＵＳＢ回路部（１３）などの電子部品のうち、少なくとも１つ以上の電子部品が収納されていることを特徴とする請求項１または２に記載の電子機器である。
この発明によれば、ヒンジケースの部品収納部に収納される電子部品を適宜選択することにより、必要な機能を簡単に且つ容易に増設することができる。
【００１０】
請求項４に記載の発明は、図７〜図１０に示すように、前記第２接続部材が、ＵＳＢコネクタ（１０）、電源ジャック（３３）、イヤホンジャック（３２）などの接続端子部を備え、この接続端子部に接続ケーブル（第２接続ケーブル１１）が着脱可能に接続されることを特徴とする請求項１〜３のいずれかに記載の電子機器である。
この発明によれば、ヒンジケースに設けられた第２接続部材の接続端子部に接続ケーブルを着脱可能に接続することにより、この接続ケーブルを介して他の電子機器と容易に接続することができ、これによっても使い勝手の良いものを得ることができる。
【００１１】
【発明の実施の形態】
以下、図１〜図７を参照して、この発明の電子機器の一実施形態について説明する。
図１はこの発明の電子機器の分解斜視図、図２は図１の下ケースとヒンジケースとを下面側から見た分解斜視図、図３は図２のヒンジケースの分解斜視図、図４は図１の上ケースと下ケースを重ね合わせた状態の側面図、図５はその断面図、図６は図５の上ケースと下ケースを開いた状態の断面図である。
この電子機器は、図１に示すように、上ケース１、下ケース２、ヒンジケース３を備え、図４および図５に示すように、上ケース１と下ケース２とが第１連結機構４によって開閉可能に連結されて互いに重なり合い、且つ第１連結機構４側における上ケース１と下ケース２との後端面（図４では右端面）にヒンジケース３が第２連結機構５によって着脱可能に連結された構造になっている。
【００１２】
この場合、上ケース１は、図１に示すように、ほぼ平板状に形成されており、この上ケース１の内部には、表示部６が設けられている。この表示部６は、液晶表示素子やＥＬ素子（エレクトロルミネッセンス素子）などの平面型の表示素子からなり、図１、図５、図６に示すように、下ケース２に対向する対向面（図１では上面）に設けられた表示用の開口部１ａに対応して設けられている。
下ケース２は、図１に示すように、上ケース１とほぼ同じサイズの平板状に形成されており、この下ケース２の内部には、図５および図６に示すように、キーボード７が設けられている。このキーボード７は、図１に示すように、文字キー、カーソルキー、ファンクションキーなどの各種のキーを備え、これら各キーの上部が上ケース１に対向する下ケース２の上面から突出している。
【００１３】
ヒンジケース３は、ヒンジ機能を有するのであり、図１〜図３に示すように、ほぼ円筒状に形成され、その内部に後述する電子部品を収納する部品収納部８が形成され、図４に示すように、上ケース１と下ケース２とが重なり合った状態で、その両者の後端面（図４では右端面）に対応して配置されている。このヒンジケース３には、部品収納部８を開閉可能に塞ぐ開閉蓋８ａが着脱可能に取り付けられているほか、この部品収納部８と下ケース２とを電気的に接続するための第１接続ケーブル９が取り付けられている。また、このヒンジケース３内には、図７に示すように、他の電子機器（図示せず）と電気的に接続するための接続端子部であるＵＳＢコネクタ１０が設けられており、このＵＳＢコネクタ１０には、第２接続ケーブル１１が着脱可能に接続されている。
【００１４】
この場合、ヒンジケース３の部品収納部８に収納される電子部品としては、図３および図７に示すように、電池１２およびＵＳＢ回路部１３であり、これら電池１２およびＵＳＢ回路部１３は第１接続ケーブル９によって下ケース２と電気的に接続されている。なお、電池１２は、単三電池などの乾電池、あるいは燃料電池などであり、燃料電池は、アルコールなどの燃料を貯蔵する燃料部と、燃料を触媒により燃焼させる燃焼部とを備え、燃料部の燃料から水素を取り出して燃焼部で触媒により燃焼させて電気を起すものであり、通常の乾電池とほぼ同じサイズに形成されている。また、接続端子部であるＵＳＢコネクタ１０は、図７に示すように、ＵＳＢ回路部１３と電気的に接続されており、このＵＳＢコネクタ１０に接続される第２接続ケーブル１１はＵＳＢケーブルである。
【００１５】
ところで、第１連結機構４は、図１に示すように、上ケース１の後端面（同図では左前側面）における下部両側（同図では上部両側）に設けられた円筒状の第１上連結部１４と、下ケース２の後端面（同図では右後側面）における上部両側に設けられた円筒状の下連結部１５と、これら第１上連結部１４と下連結部１５との両方に挿入する第１連結ピン１６とからなっている。すなわち、この第１連結機構４は、図４に示すように、上ケース１と下ケース２とが重なり合った状態で、上ケース１の第１上連結部１４と下ケース２の下連結部１５とに第１連結ピン１６が挿入し、これにより上ケース１と下ケース２とを第１連結ピン１６によって回動可能に取り付けている。
【００１６】
また、第２連結機構５は、図４および図５に示すように、上ケース１と下ケース２とが重なり合った状態で、上ケース１とヒンジケース３とを回動可能に連結する第２連結ピン１７と、下ケース２とヒンジケース３とをスライド可能に連結する第３連結ピン１８とを備えている。すなわち、第２連結ピン１７は、図１に示すように、上ケース１の後端面（同図では左前側面）における上部両側（同図では下部両側）に設けられた円筒状の第２上連結部１９と、ヒンジケース３の前端面（同図では左前側面）における上部両側に設けられた円筒状の補助連結部２０との両方に挿脱可能に挿入し、これにより図４および図５に示すように、第１連結ピン１６の上方に位置した状態で、上ケース１の第２上連結部１９とヒンジケース３の補助連結部２０とを回動可能に連結するように構成されている。また、この第２連結ピン１７は、図１に示すように、上ケース１の第２上連結部１９とヒンジケース３の補助連結部２０とから取り外されることにより、上ケース１の第２上連結部１９とヒンジケース３の補助連結部２０との連結を解除するように構成されている。
【００１７】
一方、第３連結ピン１８は、図２に表裏反転して示すように、ヒンジケース３の前端面（同図では左前側面）における下部両側（同図では上部両側）に設けられた突出部２１の先端に設けられ、この状態で下ケース２の下面（同図では上面）における後部（同図では右側部）の両側に前後方向に沿って設けられたスライド溝部２２に挿脱可能に挿入し、これにより下ケース２とヒンジケース３とをスライド可能に連結するように構成されている。また、この第３連結ピン１８は、第２連結ピン１７による上ケース１とヒンジケース３との連結が解除されたときに、スライド溝部２２から離脱可能となり、これによりスライド溝部２２から離脱して下ケース２とヒンジケース３との連結を解除するように構成されている。
【００１８】
この場合、スライド溝部２２は、図２に示すように、第３連結ピン１８が挿入してスライドするガイド溝部２２ａと、第３連結ピン１８が設けられた突出部２１が挿入してスライドするガイド凹部２２ｂとからなっている。また、このスライド溝部２２は、図６に示すように、上ケース１を下ケース２に対し開いて第３連結ピン１８が所定量移動したときに、第３連結ピン１８がガイド溝部２２ａの奥部に当接することにより、第３連結ピン１８を位置規制し、これによりヒンジケース３を下ケース２の下側に所定量だけ突出させて、下ケース１を卓上などの載置面Ｐに対し所定角度、例えば１５°前後に傾斜させるように構成されている。
【００１９】
次に、このような電子機器の使用形態について説明する。
まず、この電子機器を携帯する場合には、第１連結機構４の第１連結ピン１６を中心に上ケース１を下ケース２に対し回動させて閉じると、図４および図５に示すように、第２連結機構５の第２連結ピン１７が第１連結ピン１６を中心に回動移動して第１連結ピン１６の上方に位置し、且つ第３連結ピン１８がスライド溝部２２内を移動して後部側（図５では右端部側）に位置し、この状態で上ケース１の表示部６と下ケース２のキーボード７とが対面して上ケース１が下ケース２上に重なり合う。このときには、ヒンジケース３が上ケース１の上方に突出せず且つ下ケース２の下方にも突出せずに、上ケース１と下ケース２との両方の後端部（図４では右端部）に対応して配置される。このため、ヒンジケース３を取り付けた状態でも、ヒンジケース３が邪魔にならず、良好に携帯することができる。
【００２０】
また、この電子機器を使用する場合には、第１連結機構４の第１連結ピン１６を中心に上ケース１を下ケース２に対し回動させて開くと、図６に示すように、第２連結機構５の第２連結ピン１７が第１連結ピン１６を中心に回動移動して第１連結ピン１６の下側に移動し、この第２連結ピン１７の移動に伴ってヒンジケース３が押し下げられる。このため、ヒンジケース３が下ケース２の下側に突出すると共に、このヒンジケース３の下方への移動に伴って第３連結ピン１８が下ケース２のスライド溝部２２のガイド溝部２２ａ内を前側（図６では左側）に向けて移動する。
【００２１】
そして、第３連結ピン１８がスライド溝部２２のガイド溝部２２ａの奥部（図６では左端部）に当接して位置規制されると、図６に示すように、下ケース２に対するヒンジケース３の下方への突出量が規制される。これにより、下ケース２が卓上などの載置面Ｐ上に所定角度、例えば１５°前後に傾斜して配置される共に、上ケース１が下ケース２に対し所定角度、例えば１５５°前後に開く。このときには、下ケース２のキーボード７が露出すると共に、上ケース１の表示部６も露出するので、キーボード７をキー操作し、そのキー操作に応じて表示部６に情報を表示させることができる。このため、ヒンジケース３を取り付けた状態でも、ヒンジケース３が邪魔にならず、良好に使用することができる。
【００２２】
また、この電子機器では、ヒンジケース３が第２連結機構５によって着脱可能に取り付けられているので、ヒンジケース３の部品収納部８に収納された電子部品に応じて所望するヒンジケース３と交換することができる。このときには、第２連結機構５の第２連結ピン１７を上ケース１の第２上連結部１９とヒンジケース３の補助連結部２０とから取り外して、第２連結ピン１７による上ケース１の第２上連結部１９とヒンジケース３の補助連結部２０との連結を解除し、この状態で第３連結ピン１８をスライド溝部２２から離脱させ、下ケース２とヒンジケース３との連結を解除する。
【００２３】
これにより、ヒンジケース３を上ケース１と下ケース２とから取り外すことができるので、ヒンジケース３を容易に交換することができる。例えば、ヒンジケース３のうち、その部品収納部８に収納される電池１２として、乾電池を収納したヒンジケース３と、燃料電池を収納したヒンジケース３とを、その用途に応じて交換することができる。この場合、電池１２が燃料電池であれば、乾電池のように電池ごと交換する必要がなく、アルコールなどの燃料のみを補給すれば良く、このため省資源化を図ることができると共に、環境対策上、好ましいものを得ることができる。
【００２４】
このように、この電子機器によれば、使用するときに、上ケース１を下ケース２に対し開くと、図６に示すように、ヒンジケース３が下ケース２の下側に押し出されて下ケース２を載置面Ｐに対し傾斜させることができ、このためヒンジケース３を取り付けた状態でもヒンジケース３が邪魔にならず、良好に使用することができる。また、携帯するときには、図４および図５に示すように、上ケース１と下ケース２とを重ね合わせると、上ケース１と下ケース２との後端面に対応してヒンジケース３が配置されるので、ヒンジケース３を取り付けた状態でもヒンジケース３が邪魔にならず、良好に携帯することができる。
【００２５】
また、この電子機器によれば、ヒンジ機能を有するヒンジケース３の内部に電子部品を収納する部品収納部８を設けると共に、下ケース２とヒンジケース３とを第１接続ケーブル９で電気的に接続したので、部品収納部８に収納された電池１２およびＵＳＢ回路部１３を下ケース２と電気的に接続することができ、これにより従来例のような増設用の外付ケースを用いずに容易に機能を増設することができる。また、ヒンジケース３に設けられた接続端子部であるＵＳＢコネクタ１０に第２接続ケーブル１１を着脱可能に接続し、この第２接続ケーブル１１によって部品収納部８に収納されたＵＳＢ回路部１３と他の電子機器（図示せず）とを電気的に接続することができるので、従来例のように下ケースや上ケースにコネクタ部を設けて下ケースや上ケースの実装スペースを狭くせずに、他の電子機器と容易に接続することができ、これによっても使い勝手の良いものを得ることができる。
【００２６】
なお、上記実施形態では、ヒンジケース３の部品収納部８に収納される電子部品として、電池１２およびＵＳＢ回路部１３を収納し、且つヒンジケース３に接続端子部としてＵＳＢコネクタ１０を設けた場合について述べたが、これに限らず、例えば図８〜図１０にそれぞれ示すように、各種の電子部品および各種の接続端子部を適宜組み合わせて用いるように構成しても良い。
【００２７】
例えば、図８に示された第１変形例は、ヒンジケース３の部品収納部８に電池１２のほかにスピーカ３１を収納し、接続端子部としてイヤホンジャック３２を用いた構造になっている。また、図９に示された第２変形例は、ヒンジケース３の部品収納部８に電池１２を収納し、接続端子部としてＡＣ電源ジャック３３を用いた構造になっている。さらに、図１０に示された第３変形例は、ヒンジケース３の部品収納部８に、電子部品として電子カメラ３４、カメラ回路部３５、およびＵＳＢ回路部１３を収納し、接続端子部としてＵＳＢケーブル１１が接続するＵＳＢコネクタ１０を用いた構造になっている。
【００２８】
このように、図７〜図１０に示された各種の電子部品および各種の接続端子部を適宜組み合わせて用いたヒンジケース３を複数用意すれば、その用途に応じて自由にヒンジケース３を交換することができ、これにより必要な機能を簡単に且つ容易に増設することができ、より一層、使い勝手の良いものを得ることができる。
【００２９】
また、上記実施形態では、第１接続ケーブル９で部品収納部８と下ケース２とを電気的に接続したが、これに限らず、部品収納部８と上ケース１とを電気的に接続しても良く、また下ケース２と上ケース１との両方に接続しても良い。
さらに、上記実施形態およびその変形例では、電子辞書などの電子機器に適用した場合について述べたが、これに限らず、例えば電子手帳やノート型のパソコンなどの電子機器にも広く適用することができる。
【００３０】
【発明の効果】
以上説明したように、この発明によれば、上ケースと下ケースとを重ね合わせると、上ケースと下ケースとの端部側面に対応してヒンジ機能を有するヒンジケースが配置されるので、機器全体がコンパクトになり、これによりヒンジケースが邪魔にならず、良好に携帯することができ、また、ヒンジケースの内部に電子部品を収納する部品収納部を設けると共に、上ケースおよび下ケースの少なくとも一方とヒンジケースとを第１接続部材で電気的に接続したので、従来例のような増設用の外付ケースを用いずに容易に機能を増設することができ、さらにヒンジケースと他の電子機器とを第２接続部材で電気的に接続するので、従来例のように下ケースや上ケースにコネクタ部を設けて下ケースや上ケースの実装スペースを狭くせずに、他の電子機器との接続が容易にできる。
【００３１】
この場合、ヒンジケースが、上ケースと下ケースとを重ね合わせて閉じた状態のときに、上ケースと下ケースとの互いに対応する端部側面に配置され、上ケースと下ケースとを回動させて開いた状態のときに、ヒンジケースの一部が下ケースの下側に突出して下ケースを載置面に対し傾斜させることにより、使用するときに下ケースが載置面に対し傾斜するので、使い勝手がよく、良好に使用することができる。
【００３２】
また、部品収納部には、電池、スピーカ、電子カメラ、カメラ回路部、ＵＳＢ回路部などの電子部品のうち、少なくとも１つ以上の電子部品が収納されていることにより、部品収納部に収納される電子部品を適宜選択して必要な機能を容易に増設することができる。さらに、第２接続部材が、電源ジャック、イヤホンジャック、ＵＳＢコネクタなどの接続端子部を備え、この接続端子部に接続ケーブルが着脱可能に接続されることにより、ヒンジケースと他の電子機器とを容易に接続することができる。
【図面の簡単な説明】
【図１】この発明の電子機器の一実施形態を示した分解斜視図。
【図２】図１の下ケースとヒンジケースとを下面側から見た分解斜視図。
【図３】図２のヒンジケースの分解斜視図。
【図４】図１の上ケースと下ケースを重ね合わせた状態の側面図。
【図５】図４の断面図。
【図６】図５の上ケースと下ケースを開いた状態の断面図。
【図７】図３のヒンジケースを示した図。
【図８】電子部品として電池のほかにスピーカを用い、接続端子部としてイヤホンジャックを用いた第１変形例のヒンジケースを示した図。
【図９】電子部品として電池を用い、接続端子部としてＡＣ電源ジャックを用いた第２変形例のヒンジケースを示した図。
【図１０】電子部品として電子カメラ、カメラ回路部、およびＵＳＢ回路部を用い、接続端子部としてＵＳＢコネクタを用いた第３変形例のヒンジケースを示した図。
【符号の説明】
１　上ケース
２　下ケース
３　ヒンジケース
４　第１連結機構
５　第２連結機構
６　表示部
７　キーボード
８　部品収納部
９　第１接続ケーブル
１０、３０　接続端子部
１１　第２接続ケーブル
１２　電池
１３　ＵＳＢ回路部
３１　スピーカ
３２　イヤホンジャック
３３　ＡＣ電源ジャック
３４　電子カメラ
３５　カメラ回路部
【図１】
2004021451.tif 000003
【図２】
2004021451.tif 000004
【図３】
2004021451.tif 000005
【図４】
2004021451.tif 000006
【図５】
2004021451.tif 000007
【図６】
2004021451.tif 000008
【図７】
2004021451.tif 000009
【図８】
2004021451.tif 000010
【図９】
2004021451.tif 000011
【図１０】
2004021451.tif 000012